(57)【要約】【課題】掃除機を支持装置に簡単に支持させることができる掃除機システムを提供する。【解決手段】掃除機システム１は、掃除機２及び支持装置３を備える。支持装置３は、基体１６、保持体１８及び支持体１７を備える。保持体１８は、基体１６より上方に配置される。支持体１７は、保持体１８を支持する。基体１６は、吸い込み具４を特定の位置に配置するための位置決め部を備える。掃除機２は、吸い込み具４が特定の位置に配置された状態で保持体１８に側方から押し付けられることにより、保持体１８に保持される。【選択図】図１
2018015422.tif 000002
【特許請求の範囲】
【請求項１】
掃除機と、
前記掃除機を支持する支持装置と、
を備え、
前記掃除機は、
送風機を有する本体と、
ごみを吸い込むための吸い込み具と、
前記本体及び前記吸い込み具を繋ぐ管体と、
を備え、
前記支持装置は、
基体と、
前記基体より上方に配置された保持体と、
前記基体に設けられ、前記保持体を支持する支持体と、
を備え、
前記基体は、前記吸い込み具を特定の位置に配置するための位置決め部を備え、
前記掃除機は、前記吸い込み具が前記特定の位置に配置された状態で前記保持体に側方から押し付けられることにより、前記保持体に保持される掃除機システム。
【請求項２】
前記掃除機は、前記管体が前記保持体に両側から挟まれる請求項１に記載の掃除機システム。
【請求項３】
前記管体は一直線状であり、
前記掃除機が前記保持体に保持されると、前記本体の少なくとも一部が前記吸い込み具の直上に配置される請求項１又は請求項２に記載の掃除機システム。
【請求項４】
前記基体に平坦面及び傾斜面が形成され、
前記平坦面は、前記特定の位置に配置された前記吸い込み具に下方から対向し、
前記傾斜面は前記平坦面に隣接し、
前記傾斜面の高さは、前記平坦面から離れるに従って低くなる請求項１から請求項３の何れか一項に記載の掃除機システム。
【請求項５】
前記基体は、
前記吸い込み具が前記特定の位置に配置される際に第１位置から第２位置に変位する可動部と、
前記傾斜面が形成され、前記可動部に連動するスロープ部と、
を備え、
前記傾斜面は、前記可動部が前記第１位置に配置されると前記平坦面から離れるに従って高さが低くなるように配置され、前記可動部が前記第２位置に配置されると前記特定の位置に配置された前記吸い込み具に対向する請求項４に記載の掃除機システム。
【請求項６】
前記位置決め部が前記吸い込み具に三方から対向することにより、前記吸い込み具が前記特定の位置に配置される請求項１から請求項５の何れか一項に記載の掃除機システム。
【請求項７】
前記位置決め部が前記吸い込み具の周囲に配置されることにより、前記吸い込み具が前記特定の位置に配置される請求項１から請求項５の何れか一項に記載の掃除機システム。
【請求項８】
前記吸い込み具に凹部が形成され、
前記基体に、前記特定の位置に配置された前記吸い込み具に下方から対向する平坦面が形成され、
前記位置決め部は前記平坦面から突出し、
前記位置決め部が前記凹部の内側に配置されることにより、前記吸い込み具が前記特定の位置に配置される請求項１から請求項３の何れか一項に記載の掃除機システム。
【請求項９】
送風機を有する本体とごみを吸い込むための吸い込み具と前記本体及び前記吸い込み具を繋ぐ管体とを備えた掃除機を支持する支持装置であって、
基体と、
前記基体より上方に配置された保持体と、
前記基体に設けられ、前記保持体を支持する支持体と、
を備え、
前記基体は、前記吸い込み具を特定の位置に配置するための位置決め部を備え、
前記保持体は、前記吸い込み具が前記特定の位置に配置された状態で前記掃除機が側方から押し付けられることにより、掃除機を保持する支持装置。
【請求項１０】
前記保持体は、前記管体を両側から挟んで保持する請求項９に記載の支持装置。
【発明の詳細な説明】
【技術分野】
【０００１】
この発明は、掃除機システムと掃除機を支持する支持装置とに関する。
【背景技術】
【０００２】
特許文献１に、掃除機と充電台とを備えたシステムが記載されている。特許文献１に記載された掃除機は、吸い込み具、管体及び本体を備える。掃除機の本体が充電台の上に載せられると、充電が開始される。
【先行技術文献】
【特許文献】
【０００３】
【特許文献１】特開２０１６−３９８６０号公報
【発明の概要】
【発明が解決しようとする課題】
【０００４】
特許文献１に記載された掃除機は、管体の上方の端部に本体が接続される。本体には、送風機等の重量物が備えられる。このため、重い本体を高い位置で充電台の上に載せなければならず、掃除機を充電台に載せ難いといった問題があった。このような問題は、充電機能を備えていない支持装置に掃除機を載せる場合も同様に発生し得る。
【０００５】
この発明は、上述のような課題を解決するためになされた。この発明の目的は、掃除機を支持装置に簡単に支持させることができる掃除機システムを提供することである。この発明の他の目的は、掃除機を簡単に支持させることができる支持装置を提供することである。
【課題を解決するための手段】
【０００６】
この発明に係る掃除機システムは、掃除機と、掃除機を支持する支持装置と、を備える。掃除機は、送風機を有する本体と、ごみを吸い込むための吸い込み具と、本体及び吸い込み具を繋ぐ管体と、を備える。支持装置は、基体と、基体より上方に配置された保持体と、基体に設けられ、保持体を支持する支持体と、を備える。基体は、吸い込み具を特定の位置に配置するための位置決め部を備える。掃除機は、吸い込み具が特定の位置に配置された状態で保持体に側方から押し付けられることにより、保持体に保持される。
【０００７】
この発明に係る支持装置は、送風機を有する本体とごみを吸い込むための吸い込み具と本体及び吸い込み具を繋ぐ管体とを備えた掃除機を支持する装置である。支持装置は、基体と、基体より上方に配置された保持体と、基体に設けられ、保持体を支持する支持体と、を備える。基体は、吸い込み具を特定の位置に配置するための位置決め部を備える。保持体は、吸い込み具が特定の位置に配置された状態で掃除機が側方から押し付けられることにより、掃除機を保持する。
【発明の効果】
【０００８】
この発明に係る掃除機システムは、掃除機と掃除機を支持する支持装置とを備える。支持装置は、基体と基体より上方に配置された保持体と保持体を支持する支持体とを備える。掃除機は、吸い込み具が特定の位置に配置された状態で保持体に側方から押し付けられることにより、保持体に保持される。この発明によれば、掃除機を支持装置に簡単に支持させることができる。
【図面の簡単な説明】
【０００９】
【図１】この発明の実施の形態１における掃除機システムの例を示す斜視図である。
【図２】この発明の実施の形態１における掃除機システムの例を示す斜視図である。
【図３】図１及び図２に示す掃除機システムの側面図である。
【図４】図１及び図２に示す掃除機システムの平面図である。
【図５】掃除機を示す側面図である。
【図６】図４のＡ−Ａ線で掃除機を切断した図である。
【図７】支持装置を示す斜視図である。
【図８】支持装置を示す側面図である。
【図９】支持装置を示す平面図である。
【図１０】基体を拡大した斜視図である。
【図１１】図４のＢ−Ｂ線で基体を切断した図である。
【図１２】図４のＢ−Ｂ線で基体を切断した図である。
【図１３】図４のＢ−Ｂ線で掃除機の一部と支持装置の一部とを切断した図である。
【図１４】基体の他の例を示す斜視図である。
【図１５】基体の他の例を示す斜視図である。
【図１６】保持体を拡大した斜視図である。
【図１７】図８のＣ−Ｃ線で保持体を切断した図である。
【図１８】掃除機を支持装置に支持させる直前の状態を示す図である。
【図１９】吸い込み具が特定位置に配置された状態を示す図である。
【図２０】図３のＦ−Ｆ断面の一部を示す図である。
【図２１】支持装置の他の例を示す断面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１及び図２は、この発明の実施の形態１における掃除機システム１の例を示す斜視図である。図３は、図１及び図２に示す掃除機システム１の側面図である。図４は、図１及び図２に示す掃除機システム１の平面図である。
【００１２】
掃除機システム１は、例えば掃除機２及び支持装置３を備える。図１及び図２に示す掃除機２は、所謂スティック型の掃除機である。支持装置３は、掃除機２を支持する。掃除機２は、掃除を行う際に支持装置３から取り外される。掃除が終わると、掃除機２が支持装置３に取り付けられる。図１から図４は、掃除機２が支持装置３に支持されている状態を示す。
【００１３】
図５は、掃除機２を示す側面図である。図６は、図４のＡ−Ａ線で掃除機２を切断した図である。掃除機２に関しては、掃除機２で掃除をする人の向きを基準に、図４に示すように左右を特定する。同様に、図５に示すように前後を特定する。掃除機２は、例えば吸い込み具４、管体５及び本体６を備える。
【００１４】
吸い込み具４は、管体５の一方の端部に接続される。吸い込み具４は管体５に着脱可能である。本体６は、管体５の他方の端部に接続される。本体６は管体５に着脱可能である。吸い込み具４に、ごみを吸い込むための開口７が形成される。本体６に、ごみが除かれた空気が吹き出される開口８が形成される。掃除機２に、開口７から開口８に通じる風路９が形成される。
【００１５】
管体５は、例えば一直線状である。吸い込み具４及び本体６は、管体５によって繋がれる。図５は、吸い込み具４を水平な面に置き、且つ管体５を鉛直に配置した状態を示す。図５に示す状態から管体５を後側に倒すことができる。図５に示す状態から管体５を右側及び左側に倒すことができる。また、吸い込み具４を水平な面に置いたまま、管体５の軸を中心に管体５を回転させることができる。
【００１６】
本体６は、例えば送風機１０、集塵部１１、ハンドル１２、操作パネル１３、制御装置１４及び二次電池１５を備える。
【００１７】
送風機１０は、風路９に気流を発生させる。送風機１０によって風路９に気流が発生すると、開口７から空気が吸い込まれる。開口７から吸い込まれた空気は、風路９を通過する。即ち、開口７から吸い込まれた空気は、吸い込み具４、管体５及び本体６を通過し、開口８から吹き出される。風路９に気流が発生すると、空気と共にごみが開口７から吸い込まれる。開口７から吸い込まれたごみは、集塵部１１で気流から分離される。開口８からはごみが除かれた空気が吹き出される。
【００１８】
ハンドル１２は、掃除をする際に人が持つ部分である。操作パネル１３は、人がハンドル１２を持った手で操作するためのものである。操作パネル１３は、例えば複数の釦を備える。制御装置１４は、掃除機２に備えられた機器を制御する。例えば、操作パネル１３の釦が押されたことを示す信号が制御装置１４に入力される。制御装置１４は、入力された信号に基づいて機器を制御する。例えば、制御装置１４は、送風機１０を制御する。二次電池１５は、掃除機２に備えられた機器に電力を供給する。例えば、二次電池１５は、制御装置１４に電力を供給する。
【００１９】
図７は、支持装置３を示す斜視図である。図８は、支持装置３を示す側面図である。図９は、支持装置３を示す平面図である。支持装置３は、例えば基体１６、支持体１７及び保持体１８を備える。
【００２０】
基体１６は、床等に置かれる部分である。基体１６は、支持装置３の中で最も下に配置される。基体１６は、掃除機２の吸い込み具４を支持する。支持体１７は、基体１６及び保持体１８に設けられる。支持体１７は、保持体１８を支持する。支持体１７は、例えば柱状である。支持体１７は、例えば下端部が基体１６に固定される。また、支持体１７は、上端部が保持体１８に固定される。保持体１８は、基体１６より上方に配置される。図７から図９に示す例では、保持体１８は基体１６の直上に配置される。保持体１８は、管体５或いは本体６を保持する。保持体１８は、管体５及び本体６の双方を保持しても良い。本実施の形態では、保持体１８が管体５の上端部を保持し、且つ本体６が保持体１８に載せられる例について説明する。
【００２１】
図１０は、基体１６を拡大した斜視図である。図１１は、図４のＢ−Ｂ線で基体１６を切断した図である。基体１６は、例えば底板１９、固定部２０及びカバー２１を備える。図１０及び図１１は、底板１９、固定部２０及びカバー２１が一体的に形成された例を示す。
【００２２】
固定部２０は、底板１９に設けられる。固定部２０に、支持体１７の下端部が固定される。支持体１７は、固定部２０から上方に延びる。カバー２１は、底板１９及び固定部２０に設けられる。カバー２１は、底板１９のみに設けられても良い。底板１９及びカバー２１により、一方向に開口する空間２２が形成される。空間２２は、吸い込み具４を配置するための空間である。吸い込み具４は、上記開口から空間２２に進入する。
【００２３】
カバー２１は、例えば側壁２１ａ、側壁２１ｂ、側壁２１ｃ及び上壁２１ｄを備える。空間２２に吸い込み具４が配置されていなければ、側壁２１ｂは側壁２１ｃに対向する。上壁２１ｄは、底板１９に対向する。側壁２１ａ、側壁２１ｂ及び側壁２１ｃは、吸い込み具４を特定の位置に配置するための位置決め部としての機能を有する。上記特定位置は、掃除機２を支持装置３に支持させる際に吸い込み具４を配置しておくべき位置である。即ち、吸い込み具４が特定位置に配置されていれば、掃除機２を簡単に支持装置３に支持させることができる。
【００２４】
側壁２１ａは、特定位置に配置された吸い込み具４の前面に対向する。側壁２１ｂは、特定位置に配置された吸い込み具４の右側の側面に対向する。側壁２１ｃは、特定位置に配置された吸い込み具４の左側の側面に対向する。側壁２１ａ、側壁２１ｂ及び側壁２１ｃが吸い込み具４に三方から対向することにより、吸い込み具４は特定位置に配置される。なお、上壁２１ｄは、特定位置に配置された吸い込み具４の上面に対向する。上壁２１ｄに、吸い込み具４と管体５との連結部分が上壁２１ｄに接触することを防止するための切り欠き２１ｅが形成される。底板１９の上面は、特定位置に配置された吸い込み具４に下方から対向する。底板１９の上面は平坦面である。
【００２５】
基体１６はスロープ部２３を更に備えても良い。スロープ部２３は、吸い込み具４を空間２２に入れ易くするために備えられる。スロープ部２３の上面は傾斜面である。スロープ部２３は、底板１９に隣接する。即ち、スロープ部２３に形成された傾斜面は、底板１９に形成された平坦面に隣接する。傾斜面の高さは、平坦面から離れるに従って低くなる。基体１６にスロープ部２３が備えられていれば、吸い込み具４を持ち上げることなく吸い込み具４を特定位置まで移動させることができる。
【００２６】
基体１６は可動部２４を更に備えても良い。可動部２４は、吸い込み具４が特定位置に配置される際に第１位置から第２位置に変位する。図１１は、可動部２４が板状の部材である例を示す。例えば、可動部２４は第１軸を介して底板１９に設けられる。図１１は、可動部２４が第１位置に配置された例を示す。可動部２４は、第１位置に配置されると空間２２で直立するように配置される。図１２は、図４のＢ−Ｂ線で基体１６を切断した図である。図１２は、可動部２４が第２位置に配置された例を示す。可動部２４は、第２位置に配置されると上面が底板１９の上面と面一になるように配置される。
【００２７】
スロープ部２３は、可動部２４に連動する。図１１及び図１２は、可動部２４をスロープ部２３に連動させるために基体１６がリンク２５を備える例を示す。リンク２５は、第２軸を介して可動部２４に連結される。リンク２５は、第３軸を介してスロープ部２３に連結される。第１軸、第２軸及び第３軸は、例えば平行に配置される。
【００２８】
可動部２４が第１位置に配置されると、スロープ部２３は底板１９の横に並ぶように配置される。即ち、可動部２４が第１位置に配置されると、スロープ部２３に形成された傾斜面は、平坦面から離れるに従って高さが低くなるように斜め上向きに配置される。可動部２４は、空間２２に進入してきた吸い込み具４によって押されることにより、第１位置から第２位置に配置される。可動部２４が第２位置に配置されると、スロープ部２３はカバー２１に形成された開口を塞ぐ位置に配置される。即ち、可動部２４が第２位置に配置されると、スロープ部２３に形成された傾斜面は、特定位置に配置された吸い込み具４に後方から対向する。図１３は、図４のＢ−Ｂ線で掃除機２の一部と支持装置３の一部とを切断した図である。図１３は、吸い込み具４が特定位置に配置された状態を示す。
【００２９】
図１４は、基体１６の他の例を示す斜視図である。図１４に示す基体１６は、例えば一体的に形成される。図１４は、平坦面２６の周囲に位置決め部２７が設けられる例を示す。平坦面２６は、特定位置に配置された吸い込み具４に下方から対向する面である。位置決め部２７は、吸い込み具４を特定の位置に配置するためのものである。図１４に示す例では、位置決め部２７が吸い込み具４の周囲に配置されることにより、吸い込み具４が特定位置に配置される。
【００３０】
図１５は、基体１６の他の例を示す斜視図である。図１５に示す基体１６は、例えば一体的に形成される。図１５は、位置決め部２７が平坦面２６から突出する例を示す。かかる場合、吸い込み具４の下面に凹部（図示せず）が形成される。図１５に示す例では、位置決め部２７が吸い込み具４に形成された凹部の内側に配置されることにより、吸い込み具４が特定位置に配置される。平坦面２６の両側に設けられたガイド２８は、吸い込み具４を特定位置に配置する際に吸い込み具４を案内する機能を有する。なお、上述したカバー２１の側壁２１ｂ及び側壁２１ｃもガイド２８と同様の機能を有する。
【００３１】
図１６は、保持体１８を拡大した斜視図である。図１７は、図８のＣ−Ｃ線で保持体１８を切断した図である。保持体１８は、例えばケース２９及び保持部３０を備える。
【００３２】
ケース２９は、支持体１７の上端部に固定される。保持部３０は、ケース２９に支持される。ケース２９の一部は、上方から見て凹形状である。ケース２９の凹形状の部分により、上方及び下方に開口する空間３１が形成される。空間３１は、上下一直線状に側方にも開口する。空間３１が側方に開口する方向は、空間２２が側方に開口する方向と同じである。本実施の形態に示す例では、掃除機２が支持装置３に支持されると、管体５の上端部と本体６の下端部とが空間３１に配置される。
【００３３】
保持部３０は、掃除機２を保持する。本実施の形態に示す例では、保持部３０は、掃除機２を両側から挟んで保持する。具体的には、保持部３０は、管体５の上端部を両側から挟んで保持する。保持部３０は、本体６を両側から挟んでも良い。保持部３０は、例えば保持板３２、保持板３３、固定部材３４、ガイド３５、ストッパ３６、ガイド３７、ストッパ３８、バネ３９及びバネ４０を備える。
【００３４】
保持板３２及び保持板３３は、管体５の上端部を挟むための部材である。保持板３２及び保持板３３は、互いに対向するように配置される。保持板３２は、一方の端部が固定部材３４によってケース２９に固定される。保持板３２は、ケース２９の凹形状に形成された部分の第１内壁に沿うように配置される。保持板３２の先端側の部分は、例えば管体５の表面の湾曲に合わせて湾曲される。保持板３２の先端に、保持板３３側に突出する凸部３２ａが形成される。凸部３２ａは上下に延びる。
【００３５】
保持板３３は、例えば保持板３２と対称に配置される。保持板３３は、一方の端部が固定部材３４によってケース２９に固定される。保持板３３は、ケース２９の凹形状に形成された部分の内壁のうち、上記第１内壁に対向する第２内壁に沿うように配置される。保持板３３の先端側の部分は、例えば管体５の表面の湾曲に合わせて湾曲される。保持板３３の先端に、保持板３２側に突出する凸部３３ａが形成される。凸部３３ａは上下に延びる。凸部３３ａは凸部３２ａに対向する。
【００３６】
ガイド３５は、保持板３２の裏面に設けられる。保持板３２の表面は保持板３３に対向する。保持板３２の裏面は、表面が向く方向と反対の方向を向く面である。例えば、ガイド３５と保持板３２とにより、上下に開口するガイド孔３５ａが形成される。
【００３７】
ストッパ３６は、ケース２９に設けられる。ストッパ３６は、例えば上下に延びる棒状の部材である。ストッパ３６は、ガイド孔３５ａを貫通する。保持板３２は、一方の端部が固定された状態で、保持板３３に接近及び離隔するように変位可能である。ストッパ３６がガイド孔３５ａを貫通しているため、保持板３２の動きはストッパ３６がガイド孔３５ａに留まることができる範囲に制限される。即ち、ガイド３５は、保持板３２の動きを案内する。
【００３８】
ガイド３７は、保持板３３の裏面に設けられる。保持板３３の表面は保持板３２に対向する。保持板３３の裏面は、表面が向く方向とは反対の方向を向く面である。例えば、ガイド３７と保持板３３とにより、上下に開口するガイド孔３７ａが形成される。
【００３９】
ストッパ３８は、ケース２９に設けられる。ストッパ３８は、例えば上下に延びる棒状の部材である。ストッパ３８は、ガイド孔３７ａを貫通する。保持板３３は、一方の端部が固定された状態で、保持板３２に接近及び離隔するように変位可能である。ストッパ３８がガイド孔３７ａを貫通しているため、保持板３３の動きはストッパ３８がガイド孔３７ａに留まることができる範囲に制限される。即ち、ガイド３７は、保持板３３の動きを案内する。
【００４０】
バネ３９は、ケース２９に支持される。バネ３９は、保持板３２を保持板３３側に押し付ける。図１７は、バネ３９がガイド３５を介して保持板３２を押し付ける例を示す。ストッパ３６がガイド孔３５ａを貫通しているため、保持板３２の保持板３３側への変位は、ストッパ３６がガイド３５に接触する位置までに制限される。
【００４１】
バネ４０は、ケース２９に支持される。バネ４０は、保持板３３を保持板３２側に押し付ける。図１７は、バネ４０がガイド３７を介して保持板３３を押し付ける例を示す。ストッパ３８がガイド孔３７ａを貫通しているため、保持板３３の保持板３２側への変位は、ストッパ３８がガイド３７に接触する位置までに制限される。
【００４２】
保持板３２及び保持板３３は、バネ３９及びバネ４０からの力以外の外力が作用しなければ、最も接近する位置に配置される。バネ３９の押付力及びバネ４０の押付力に逆らう力が保持板３２及び保持板３３に作用すると、保持板３２と保持板３３との間隔が広がるように保持板３２及び保持板３３は変位する。
【００４３】
次に、掃除機２を支持装置３に支持させる手順について説明する。図１８は、掃除機２を支持装置３に支持させる直前の状態を示す図である。掃除機２で掃除をする人は、ハンドル１２を持って吸い込み具４を前後に動かす。このため、掃除機２は、吸い込み具４が本体６より前側となるように斜めに配置される。
【００４４】
掃除が終わり掃除機２を支持装置３に支持させる場合は、掃除機２を掃除の時の姿勢のまま動かし、吸い込み具４を上記特定位置に配置する。図１９は、吸い込み具４が特定位置に配置された状態を示す図である。図１８に示す状態から吸い込み具４をＤ方向に動かせば、図１９に示す状態になる。吸い込み具４をＤ方向に動かす動作は、掃除機２で掃除をする時の動作と同じである。このため、吸い込み具４を特定位置に配置するために特殊な動作を行う必要はない。
【００４５】
吸い込み具４を特定位置に配置した直後は、図１９に示すように、本体６が吸い込み具４より後方に配置される。ハンドル１２を持つ人は、吸い込み具４が特定位置に配置された状態で本体６及び管体５をＥ方向に移動させる。吸い込み具４をＤ方向に動かす動作と本体６及び管体５をＥ方向に移動させる動作は、掃除機２を前方向に動かす動作である。このため、上記２つの動作を一連の動作として行うことができる。
【００４６】
図１９に示す状態から、吸い込み具４を特定位置に配置したまま本体６及び管体５を斜め上方に持ち上げると、管体５の上端部が保持板３２及び保持板３３に接触する。管体５が保持板３２及び保持板３３に接触する前の保持板３２の先端と保持板３３の先端との間隔は、管体５の径より小さい。管体５が保持板３２及び保持板３３に接触した後に管体５が保持体１８に押し付けられると、保持板３２と保持板３３との間隔が広がるように保持板３２及び保持板３３は変位する。また、管体５の幅が最も大きい部分が保持板３２の先端と保持板３３の先端との間を通過すると、保持板３２と保持板３３との間隔が狭まるように保持板３２及び保持板３３は変位する。これにより、管体５が保持板３２及び保持板３３によって挟まれ、掃除機２が保持体１８に保持される。図１から図４は、管体５が保持板３２及び保持板３３によって挟まれた状態を示す。図２０は、図３のＦ−Ｆ断面の一部を示す図である。
【００４７】
本実施の形態に示す例では、吸い込み具４を特定位置に配置した状態で管体５を保持体１８に側方から押し付けることにより、掃除機２を保持体１８に保持させることができる。このため、掃除機２を支持装置３に簡単に支持させることができる。
【００４８】
本実施の形態では、保持体１８によって管体５を両側から挟む例について説明した。本実施の形態に示す例のように保持体１８が管体５を保持する場合は、管体５に本体６が接続されていなくても、支持装置３で本体６以外の部分を支持できる。このため、例えば本体６を管体５から外して使用する場合に、本体６を外した部分、即ち管体５及び吸い込み具４を支持装置３に支持させておくことができる。
【００４９】
保持体１８による保持力を向上させるため、図５及び図２０に示すように、管体５に凹部５ａ及び凹部５ｂを形成しても良い。凹部５ａは、保持板３２の凸部３２ａが嵌まる窪みである。凹部５ｂは、保持板３３の凸部３３ａが嵌まる窪みである。
【００５０】
本実施の形態に示す例では、掃除機２が保持体１８に保持されると、図３及び図４に示すように、本体６の一部が吸い込み具４の直上に配置される。このため、掃除機２及び支持装置３を設置するために広いスペースを必要としない。
【００５１】
本実施の形態では、支持装置３が充電機能を備えていない例について説明した。支持装置３は、充電機能を備えても良い。例えば、掃除機２が保持体１８によって保持されると、二次電池１５を充電するための電力が支持装置３から掃除機２に供給される。
【００５２】
図２１は、支持装置３の他の例を示す断面図である。図２１に示す例では、保持板３２の端部にガイド面３２ｂが形成される。ガイド面３２ｂは、保持板３２の先端に向かうに従って保持板３３から離れる傾斜面である。また、保持板３３の先端にガイド面３３ｂが形成される。ガイド面３３ｂは、保持板３３の先端に向かうに従って保持板３２から離れる傾斜面である。図２１に示す例であれば、管体５が保持板３２及び保持板３３に押し付けられた際に、保持板３２及び保持板３３がスムーズに広がる。このため、掃除機２を支持装置３に簡単に支持させることができる。
【符号の説明】
【００５３】
１  掃除機システム、  ２  掃除機、  ３  支持装置、  ４  吸い込み具、  ５  管体、  ５ａ  凹部、  ５ｂ  凹部、  ６  本体、  ７  開口、  ８  開口、  ９  風路、  １０  送風機、  １１  集塵部、  １２  ハンドル、  １３  操作パネル、  １４  制御装置、  １５  二次電池、  １６  基体、  １７  支持体、  １８  保持体、  １９  底板、  ２０  固定部、  ２１  カバー、  ２１ａ  側壁、  ２１ｂ  側壁、  ２１ｃ  側壁、  ２１ｄ  上壁、  ２１ｅ  切り欠き、  ２２  空間、  ２３  スロープ部、  ２４  可動部、  ２５  リンク、  ２６  平坦面、  ２７  位置決め部、  ２８  ガイド、  ２９  ケース、  ３０  保持部、  ３１  空間、  ３２  保持板、  ３２ａ  凸部、  ３２ｂ  ガイド面、  ３３  保持板、  ３３ａ  凸部、  ３３ｂ  ガイド面、  ３４  固定部材、  ３５  ガイド、  ３５ａ  ガイド孔、  ３６  ストッパ、  ３７  ガイド、  ３７ａ  ガイド孔、  ３８  ストッパ、  ３９  バネ、  ４０  バネ
【図１】
2018015422.tif 000003
【図２】
2018015422.tif 000004
【図３】
2018015422.tif 000005
【図４】
2018015422.tif 000006
【図５】
2018015422.tif 000007
【図６】
2018015422.tif 000008
【図７】
2018015422.tif 000009
【図８】
2018015422.tif 000010
【図９】
2018015422.tif 000011
【図１０】
2018015422.tif 000012
【図１１】
2018015422.tif 000013
【図１２】
2018015422.tif 000014
【図１３】
2018015422.tif 000015
【図１４】
2018015422.tif 000016
【図１５】
2018015422.tif 000017
【図１６】
2018015422.tif 000018
【図１７】
2018015422.tif 000019
【図１８】
2018015422.tif 000020
【図１９】
2018015422.tif 000021
【図２０】
2018015422.tif 000022
【図２１】
2018015422.tif 000023